(57)【要約】【課題】シャンクの軸心に沿って拡開片を水平状に拡開し、シャンクの損傷及び変形を防止すると共に、構成を簡単にして安価に提供し且つ耐久性のある溶接用電極チップの取り外し工具を提供する。【解決手段】固定側ホルダー３と可動側ホルダー６にはシャンクと電極チップに装着するＵ字状の嵌合支持溝１４，１９と、シャンクと電極チップ間の環状挿入溝に装着する各拡開片１５，２０を設けると共に、各ホルダー３，６間はばね部材８を介して水平方向へ拡縮可能に連結軸９で繋着させ、回動アーム５には枢着軸７からの距離を次第に大きくしたカム面２３を設け、固定側ホルダー３には操作レバー４の操作で枢着軸７を支点に回動した回動アーム５のカム面２３の押圧を受けるカム案内面１７を設け、カム面２３の押圧でばね部材８を圧縮して可動側ホルダー６を水平方向に離間させる。【選択図】    図３
2004216400.tif 000002
【特許請求の範囲】
【請求項１】
一方の操作レバーの先端に固定側ホルダーを装着した固定部と、他方の操作レバーの先端に回動アームを装着すると共に、回動アームに枢着軸を介して可動側ホルダーを装着した可動部とで構成され、固定側ホルダーと可動側ホルダーには溶接用電極のシャンクと電極チップに装着するＵ字状の嵌合支持溝と、嵌合支持溝の内端側に突出してシャンクと電極チップ間に形成した環状挿入溝に装着する各拡開片を設けると共に、各ホルダー間はばね部材を介して水平方向へ拡縮可能に連結軸で繋着させ、回動アームには枢着軸からの距離を次第に大きくしたカム面を設け、固定側ホルダーには他方の操作レバーの操作で枢着軸を支点に回動した回動アームのカム面の押圧を受けるカム案内面を設け、カム面の押圧によってばね部材を圧縮して可動側ホルダーを水平方向に離間させることを特徴とした溶接用電極チップの取り外し工具。
【発明の詳細な説明】
【０００１】
【発明の属する技術分野】
本発明は、溶接電極用のシャンク先端に装着されたキャップ状の電極チップを交換する際に、手動操作によって電極チップを取り外すために使用する溶接用電極チップの取り外し工具に関する。
【０００２】
【従来の技術】
この種の電極チップは、使用中に損耗及び変形して溶接の品質を低下させるので、一定期間使用する毎に適時交換する必要があり、交換する際における電極チップの取り外し手段としては、従来から各種の提案が行われている。
【０００３】
これら電極チップの取り外し手段には、例えば特許文献１〜４のように、溶接用ロボットなどの抵抗溶接機に予め組み込まれた形態と、特許文献５〜７のように、手動操作による取り外し工具の形態の２種類に大別される。
【０００４】
特許文献１・・・特開平７−１７１６８６号公報
特許文献２・・・特開２００２−７９３８２号公報
特許文献３・・・特開２００２−２３９７４９号公報
特許文献４・・・特開２００２−３４６７５９号公報
特許文献５・・・実開昭６３−１４７２７３号公報
特許文献６・・・実開平０７−３３４７１号公報
特許文献７・・・特開２００１−３４７３８０号公報
【０００５】
【発明が解決しようとする課題】
しかしながら、前者の形態による取り外し手段の場合には、▲１▼個別に設置するので汎用性に欠け而も多数を備え付けておく必要があること、▲２▼位置決め装置を用いて自動的に位置決めする必要があること、▲３▼構造が複雑で而もモータやシリンダなどの高価で精密な部品を必要とするので、安価に提供できず且つ耐久性にも欠けること、などの課題があった。
【０００６】
また、後者の形態による取り外し手段の場合には、前者による▲１▼▲２▼▲３▼のような課題はないが、シャンク先端に装着されたキャップ状の電極チップを梃子式に押し広げて取り外す構造のために、本件出願人が先に提案した特許文献５を実施した際の実績によると、取り外す際に次のような課題があることが判明した。
【０００７】
すなわち、大径基部の先端に小径テーパー部を段付き状に形成したシャンクに電極チップを被着すると、大径基部の先端と電極チップの基端の間に環状挿入溝が形成され、電極チップを取り外す際に断面Ｕ字形状の拡開片を環状挿入溝に差し込んで梃子式に押し広げると、拡開片は円弧状の軌跡を描いて拡開する。
【０００８】
このように、シャンクの軸心に沿って拡開片が水平状に拡開するのではなく、円弧状の軌跡を描いて拡開すると、電極チップの取り外しが容易且つ確実に行われないと共に、環状挿入溝の両側に突出している環状縁部（端面及び端縁）が拡開片で不均一に押圧を受けて損傷及び変形し、特に繰り返して使用する必要があるシャンク側の影響は甚大である。
【０００９】
そこで本発明では、これら従来技術による課題を解消し得る溶接用電極チップの取り外し工具を提供するものであって、特にシャンクの軸心に沿って拡開片を水平状に拡開するようにし、これによって繰り返して使用する必要があるシャンクの損傷及び変形を防止すると共に、この構成を簡単にすることで安価に提供し且つ耐久性のあるようにすることを主たる目的とする。
【００１０】
【課題を解決するための手段】
本発明による溶接用電極チップの取り外し工具は、一方の操作レバーの先端に固定側ホルダーを装着した固定部と、他方の操作レバーの先端に回動アームを装着すると共に、回動アームに枢着軸を介して可動側ホルダーを装着した可動部とで構成されている。
【００１１】
前記固定側ホルダーと可動側ホルダーには、溶接用電極のシャンクと電極チップに装着するＵ字状の嵌合支持溝と、嵌合支持溝の内端側に突出してシャンクと電極チップ間に形成した環状挿入溝に装着する各拡開片を設けると共に、各ホルダー間はばね部材を介して水平方向へ拡縮可能に連結軸で繋着させている。
【００１２】
また、前記回動アームには枢着軸からの距離を次第に大きくしたカム面を設けると共に、固定側ホルダーには他方の操作レバーの操作で枢着軸を支点に回動した回動アームのカム面の押圧を受けるカム案内面を設け、カム面の押圧によってばね部材を圧縮して可動側ホルダーを水平方向に離間させるようにしている。
【００１３】
この溶接用電極チップの取り外し工具では、固定側ホルダーの嵌合支持溝をシャンクに可動側ホルダーの嵌合支持溝を電極チップに装着すると共に、各嵌合支持溝に形成されている各拡開片をシャンクと電極チップ間の環状挿入溝に装着した状態で溶接用電極にセットし、各操作レバーを把持して回動アームが装着された他方の操作レバーを回動操作すると、各拡開片が離間して電極チップを取り外すことができる。
【００１４】
この取り外し操作は、枢着軸を支点に回動アームが回動すると、回動アームに設けたカム面が固定側ホルダーに設けたカム案内面を押圧し、この押圧によって回動アームに枢着軸で枢着されている可動側ホルダーは、ばね部材を圧縮させながら繋着されている連結軸に沿って水平方向に引き離されて固定側ホルダーから離間されるので、各拡開片に係止しているシャンクと電極チップが分離する。
【００１５】
このように、環状挿入溝の両側に突出する環状縁部（端面及び端縁）が拡開片で均一に押圧を受けながら、溶接用電極の軸線方向に沿って水平状態で離間させることによって、拡開片が円弧状の軌跡を描いて拡開する従来技術とは異なり、電極チップの取り外しを容易且つ確実に行うことができると共に、環状挿入溝の両側にある環状縁部を損傷及び変形させることがない。
【００１６】
特に、繰り返して使用されるシャンク側に対する損傷及び変形が防止できる経済的効果は甚大であると共に、構成が簡単で部品点数も少なくて高価で精密な部品を必要としないので、安価に提供することができ且つ耐久性に優れて長期間の使用が可能である。
【００１７】
また、自由に持ち運びして所望の電極チップを取り外しできる汎用性があること、共用できるので多数を備え付けておく必要がなく経済的であること、位置決め装置に頼らず目視で位置決めできること、などの効果も期待できる。
【００１８】
【発明の実施の形態】
以下に、本発明による溶接用電極チップの取り外し工具について、本発明を適用した図示の実施形態による取り外し工具１に基づいて詳細に説明するが、図１は全体の正面図を、図２は一部を省略した左側面図を、図３は分解斜視図を、図４は部分拡大断面図を、図５は使用状態における正面図を、図６及び図７は使用状態における平面図を、それぞれ示す。
【００１９】
取り外し工具１は、一方の操作レバー２の先端に固定側ホルダー３を装着した固定部１Ａと、他方の操作レバー４の先端に回動アーム５を介して可動側ホルダー６を装着した可動部１Ｂとで構成され、可動側ホルダー６は枢着軸７を介して回動アーム５に枢着されていると共に、ばね部材８に弾装された連結軸９を介して固定側ホルダー３に連結されている。
【００２０】
溶接用電極１０は、シャンク１１と電極チップ１２で構成され、シャンク１１は溶接用ロボットなどの抵抗溶接機（図示を省略）に取り付ける支持部１１ａの先端側に、大径基部１１ｂと小径テーパー部１１ｃを形成し、小径テーパー部１１ｃにキャップ状の電極チップ１２が被着されると共に、大径基部１１ｂの先端と電極チップ１２の基端の間には、テーパー部１１ｃの外周面に環状挿入溝１３が形成されている。
【００２１】
固定側ホルダー３は、内部側にはシャンク１１の大径基部１１ｂを挿入し得るＵ字状の嵌合支持溝１４を設けると共に、可動側ホルダー６に隣接した内側端縁には嵌合支持溝１４の内面から突出する態様で、環状挿入溝１３に挿入し得るＵ字状のフランジで形成した拡開片１５を設け、外部側には両側面を平坦にして回転摺動面１６Ａ（１６）を形成すると共に、回転摺動面１６Ａの外側端縁には内面がカム案内面１７を形成するフランジ部１８を設けている。
【００２２】
可動側ホルダー６には、電極チップ１２に装着するＵ字状の嵌合支持溝１９を設けると共に、固定側ホルダー３に隣接した内側端縁には嵌合支持溝１９の内面から突出する態様で、環状挿入溝１３に装着するＵ字状のフランジで形成した拡開片２０を設け、外部側には両側面を平坦にして回転摺動面１６Ｂ（１６）を形成すると共に、回転摺動面１６Ｂにはねじ孔２１，２２を設けている。
【００２３】
回動アーム５は、可動側ホルダー６の回転摺動面１６Ｂを両側から狭持する平面形状がコ字状のフレームで形成され、フレームの先端側に通孔２２，２２を設け、ねじ軸で形成した枢着軸７を通孔２２に挿通させてねじ孔２１に螺合することによって、可動側ホルダー６に対して回動可能に枢着されると共に、フレームの底面側には弧状のカム面２３，２３を設け、カム面２３は支点となる枢着軸７からの距離が次第に大きくなるように設定されている。
【００２４】
また、可動側ホルダー６の底部側にはばね収容室２４Ａを形成する大径孔と、ばね収容室２４Ａに連通する小径の通孔２４による段付き孔２４を設け、固定側ホルダー３の底部側には段付き孔２４に整合するねじ孔２５を設け、ばね収容室２４Ａにコイルばねによるばね部材８を収容させた状態で、ねじ軸で形成した連結軸９をねじ孔２５に螺合させ、これによって各ホルダー３，６の間は拡縮可能に繋着されている。
【００２５】
以上の構成による取り外し工具１は、溶接用電極１０をセットする際には、図１で示すように一方の操作レバー２に対して、他方の操作レバー４を直角の状態にするが、この場合には図６で示すように、固定側ホルダー３の拡開片１５と可動側ホルダー６の拡開片２０とが密接した状態であり、溶接用電極１０の環状挿入溝１３に対して各拡開片１５，２０を嵌めた状態でセットする。
【００２６】
取り外し操作を行う際には、一方の手で操作レバー２を他方の手で操作レバー４をそれぞれ把持し、操作レバー２を固定した状態で図５で示すように操作レバー４を時計方向に回動させると、操作レバー４に連結された回動アーム５は枢着軸７を支点として回転摺動面１６に沿って回動しながら、カム面２３が次第にフランジ部１８に接近して始端側がカム案内面１７に当接する。
【００２７】
当接した後に更に回動させると、カム面２３は支点である枢着軸７からの距離が大きくなるように設定されているので、カム面２３によってカム案内面１７は押圧を受けるが、押圧を受けた固定側ホルダー３と回動アーム５に枢着されている可動側ホルダー６との間は、ばね部材８を介して連結軸９で繋着されており、このために可動側ホルダー６はばね部材８を圧縮しながら水平状態で後退し、固定側ホルダー３との間が離間して間隙Ｗが形成される。
【００２８】
従って、カム面２３は支点である枢着軸７からの距離が少なくとも間隙Ｗだけ大きくなるように予め設定すると共に、ばね部材８は少なくとも間隙Ｗだけ圧縮可能な拡縮幅に予め設定しておくと、溶接用電極１０のシャンク１１側から電極チップ１２を引き抜いて取り外すことができる。
【００２９】
この取り外し操作では、溶接用電極１０のシャンク１１側は、固定側ホルダー３の拡開片１５によって大径基部１１ｂの先端が係止された状態で、可動側ホルダー６の拡開片２０に電極チップ１２の基端が係合して水平状態で引き抜かれるので、拡開片が円弧状の軌跡を描いて拡開する従来技術とは異なり、環状挿入溝の両側に突出する環状縁部（端面及び端縁）が拡開片で均一に押圧を受ける。
【００３０】
これにより、電極チップ１２の取り外しを容易且つ確実に行うことができると共に、環状挿入溝１３の両側にある環状縁部を損傷及び変形させることがなく、特に繰り返して使用されるシャンク１１側に対する損傷及び変形が防止できる経済的効果は甚大である。
【００３１】
また、構造が簡単で部品点数も少なくてモータやシリンダなどの高価で精密な部品を必要としないので、安価に提供でき且つ耐久性に優れて長期間の使用が可能であること、自由に持ち運びして所望の電極チップを取り外しできる汎用性があること、共用できるので多数を備え付けておく必要がなく経済的であること、位置決め装置に頼らず目視で位置決めできること、などの効果も期待できる。
【図面の簡単な説明】
【図１】本発明を適用した実施形態による取り外し工具の全体の正面図を示す。
【図２】図１の取り外し工具の一部を省略した左側面図を示す。
【図３】図１の取り外し工具の分解斜視図を示す。
【図４】図１の取り外し工具の部分拡大断面図を示す。
【図５】図１の取り外し工具の使用状態における正面図を示す。
【図６】図１の取り外し工具の使用状態における平面図であって、溶接用電極をセットした状態を示す。
【図７】図１の取り外し工具の使用状態における平面図であって、溶接用電極のシャンクから電極チップを取り外した状態を示す。
【符号の説明】
１  取り外し工具
２，４  操作レバー
３  固定側ホルダー
５  回動アーム
６  可動側ホルダー
７  枢着軸（回動支点）
８  ばね部材（コイルばね）
９  連結軸
１０  溶接用電極
１１  シャンク
１２  電極チップ
１３  環状挿入溝
１４，１９  嵌合支持溝
１５，２０  拡開片
１６  回動摺動面
１７  カム案内面
１８  フランジ部
２１，２２，２５  ねじ孔
２３  カム面
２４  段付き孔
Ｗ  間隙
【図１】
2004216400.tif 000003
【図２】
2004216400.tif 000004
【図３】
2004216400.tif 000005
【図４】
2004216400.tif 000006
【図５】
2004216400.tif 000007
【図６】
2004216400.tif 000008
【図７】
2004216400.tif 000009